(57)【要約】【課題】  ワイドアスペクト比の大型横長表示画面を有する薄型テレビや薄型ディスプレイなどの薄型表示装置の設置現場において表示画面中心を回転軸とする傾き調整を迅速、且つ簡便に行うことが出来る傾き調整手段を提供する。【解決手段】  薄型表示装置のスタンド取り付け部と一体に係止したスタンド取り付け板の上辺の一方に液晶テレビ内部の駆体を構成するブラケットと当接する突起部を形成し、該スタンド取り付け板の上辺の他方に、該スタンド取り付け板および該センターブラケットとの間隔を調整可能とする傾き調整螺子を配設する。【選択図】  図３
2007310252.tif 000002
【特許請求の範囲】
【請求項１】
液晶表示パネルやＰＤＰ等を表示素子とする薄型表示装置において、該薄型表示装置の水平方向の傾き調整装置を具備したことを特徴とする薄型表示装置。
【請求項２】
液晶表示パネルやＰＤＰ等を表示素子とする薄型表示装置において、該薄型表示装置のスタンドと一体に係止したスタンド取り付け板上辺の切断面の一端に該薄型表示装置内部の駆体と当接する突起部を形成し、該スタンド取り付け板上辺の切断面の他端に、傾き調整螺子の軸部が当接するよう配設したことを特徴とする薄型表示装置。
【請求項３】
請求項１または２に記載の薄型表示装置において、該薄型表示装置の重心を含む該薄型表示装置の表示画面と平行な面内に、該薄型表示装置の水平方向の傾き調整装置の力点および支点を配設したことを特徴とする薄型表示装置。
【発明の詳細な説明】
【技術分野】
【０００１】
本発明は、特にワイドアスペクト比の大型横長画面を有する薄型テレビや薄型ディスプレイ装置などの薄型表示装置において目立つ表示画面中心を回転軸とする表示画面の傾き調整装置の構造に関する。
【背景技術】
【０００２】
液晶表示パネルやＰＤＰなどを表示素子とする薄型テレビや薄型ディスプレイ装置の表示画面の大型化が、近年、急速に進展しつつあり、これらの薄型表示装置の多くには表示画面のアスペクト比が１６：９の横長画面が適用されていること、および薄型表示装置の技術的先進性を訴求するため、外観意匠面では主として直線や矩形で構成したシンプルで洗練されたフォルムにまとめられたデザイン傾向が主流となりつつあることから、該薄型テレビや該薄型ディスプレイ装置を構成する多数の部品の加工精度や組み立て精度に起因する、該薄型表示装置の設置場所における家具、壁面と天井との接合線、柱または建具などの水平線や鉛直線との平行度や直交度のずれが、容易に検知され、該薄型テレビや該薄型ディスプレイ装置の品位を著しく損ねる。
【０００３】
ブラウン管式表示装置は地磁気の影響を受け、ブラウン管の向きにより表示画面中心を回転軸とし、表示画面が僅かに回転または傾き、これを補正するために特許文献１および２に見られるごとくブラウン管周辺に配設した補正コイルに表示画面傾き補正のための補正電流を流し、対応する手段を適用している。しかしながら、同様の対応手段を液晶表示パネルやＰＤＰを表示素子とする薄型表示装置には適用することは出来ず、本発明はこのような状況に鑑みなされたもので、液晶テレビや薄型ディスプレイ装置などの薄型表示装置の設置現場においても特殊な工具を使用せず、容易に表示画面中心を回転軸とする薄型表示装置の傾き調整を行う。
【特許文献１】特開２０００−４１１５４号公報
【特許文献２】特開２００１−３５２５５７号公報
【発明の開示】
【発明が解決しようとする課題】
【０００４】
表示画面のアスペクト比が１６：９の横長画面を適用し、主として直線や矩形で構成したシンプルで洗練されたフォルムにまとめた外観意匠を有する薄型テレビや薄型ディスプレイ装置などの薄型表示装置においては、該薄型表示装置を構成する多数の部品の加工精度や組み立て精度に起因する、設置場所における家具、壁面と天井面との接合線、柱または建具などの水平線や鉛直線との平行度や直交度のずれが容易に検知され、該薄型表示装置の品位を著しく損ねる場合があり、該薄型表示装置の設置現場において、表示画面の傾き調整を迅速、且つ簡便に行うことが出来る表示画面の傾き調整手段を提供する。
【課題を解決するための手段】
【０００５】
液晶表示パネルやＰＤＰ等を表示素子とする薄型テレビや薄型ディスプレイ装置などの薄型表示装置の設置現場において、該薄型表示装置の水平方向の傾きを迅速、且つ簡便に行うことが出来る傾き調整装置を該薄型表示装置に設ける。
【０００６】
液晶表示パネルやＰＤＰ等を表示素子とする薄型表示装置において、該薄型表示装置のスタンドと一体に係止したスタンド取り付け板上辺の切断面の一端に該薄型表示装置内部の駆体に当接する突起部を形成し、該スタンド取り付け板上辺の切断面の他端に、表示画面傾き調整螺子が当接するよう該スタンド取り付け板を配設する。
【０００７】
液晶表示パネルやＰＤＰ等を表示素子とする薄型テレビや薄型ディスプレイ装置などの薄型表示装置において、該薄型表示装置の重心を含む該薄型表示装置の表示画面と平行な面内に、該薄型表示装置の水平方向の傾き調整装置の力点および支点を配設する。
【発明の効果】
【０００８】
表示画面のアスペクト比が１６：９の横長画面を適用し、直線や矩形を主に構成したシンプルで洗練されたフォルムにまとめた外観意匠を有する薄型テレビや薄型ディスプレイ装置においては、該薄型テレビや該薄型ディスプレイ装置を構成する多数の部品の加工精度や組み立て精度に起因する、設置場所における家具、壁面と天井との接合線、柱または建具などの水平線や鉛直線との平行度や直交度のずれが容易に検知され、該薄型テレビや該薄型ディスプレイ装置の品位を著しく損ねる場合があり、該薄型表示装置の設置現場において簡便で迅速に傾き調整を行うことが出来る。
【発明を実施するための最良の形態】
【０００９】
図１は、本発明の実施形態を説明するための液晶テレビ１の背面図で、図中に鎖線矢印で示すスタンド5との固定部を回転軸とする時計方向への傾き（液晶テレビ１の水平方向の傾き）を誇張し表現している。図１中の１ａは液晶テレビ１の後ろキャビネットで熱可塑性樹脂部材の成型加工により形成されている。５は該液晶テレビ１をテーブルタイプとして使用するために該液晶テレビ１に取り付ける着脱自在のスタンド、２は該スタンド５を液晶テレビ１本体に螺着するための螺子、１２ｂは工具を使用せず簡便に表示画面の傾きを調整するための調整ホイールである。
【００１０】
図２は本発明の実施形態を示す液晶テレビ１の後ろキャビネット１ａ、スタンド取り付け板１３およびスタンド５の取り付け部分の分解斜視図である。後ろキャビネット１ａの下部中央には後ろキャビネット１ａの背面から段落ちした凹部が形成され、螺子２をスタンド５に穿設された螺子挿通孔５ａ、スタンド取り付け板１３の螺子挿通孔１３ｂおよび後ろキャビネット１ａの螺子挿通孔１ｄに順次に挿通し、スタンド5、スタンド取り付け板１３および後ろキャビネット１ａを液晶テレビ１内部の駆体を構成するセンターブラケット１１（図視せず）に螺着する。
【００１１】
図３（ａ）は螺子２により、後ろキャビネット１ａにスタンド取り付け板およびスタンド５を取り付けた状態を示す液晶テレビ１の背面図である。液晶テレビ１の後ろキャビネット１ａの背面およびスタンド５の取り付け面間には、端辺に尖端部を有するピボット１３ａを形成したスタンド取り付け板１３が介在し、該ピボット１３の尖端部は後ろキャビネット１ａに穿設されたピボット用開口を挿通し、後ろキャビネット１ａ内部のセンターブラケット１１（図示せず）に当接し、該当接部は表示画面の傾き調整時の支点を形成する。
【００１２】
図３（ｂ）は図２中に鎖線で示す切断線Ａ−Ａに沿って切断した縦断面図である。後ろキャビネット１ａ内部にはセンターブラケット１１が配設され、該センターブラケット１１は液晶表示パネルの背面を照射するバックライト装置や該液晶表示パネルなどの質量の大きい液晶テレビ１内部の大型構造物を支持するための駆体の構成部材であり、従って十分な材厚を有する金属部材で堅牢に形成されている。該センターブラケット１１には傾き調整螺子１２の螺子軸部１２ｃを螺子込むための傾き調整螺子取り付け孔１１ｃが形成されている。さらに、該センターブラケット１１には後ろキャビネット１ａの外方からスタンド５を螺着するため、空芯部の内壁に螺子溝を有するスタッド１１ｄが加締められている。
【００１３】
図４（ａ）は、センターブラケット１１を含む液晶テレビ内部の背面斜視図、図４（ｂ）は傾き調整用螺子１２を取り付けるセンターブラケット１１の拡大斜視図である。該センターブラケット１１は図４（ａ）に示すごとく液晶表示パネル４や該液晶表示パネル４の背面を照射するバックライト装置３などの質量の大きい液晶テレビ内部の大型構造物を取り付けるための駆体の構成部材であり、従って十分な材厚を有する金属部材で堅牢に形成されている。
【００１４】
センターブラケット１１には傾き調整螺子１２の螺子軸部１２ｃを螺子込むための傾き調整螺子取り付け孔１１ｃが形成されるとともに、該傾き調整螺子１２の調整ホイール１２ｂ部分を逃げる調整ホイール用開口１１ｂが穿接されている。さらに、該センターブラケット１１には後ろキャビネットの外方からスタンドを螺着するため、空芯部の内壁に螺子溝を形成したスタッド１１ｄが加締められている。
【００１５】
図５は液晶テレビの後ろキャビネット１ａの下部中央部分を示す斜視図である。図５（ａ）に示すごとく後ろキャビネット１ａの下部中央部分は、後ろキャビネット１ａの他の面よりも段落ちし、凹部を形成している。また、液晶テレビ内部に配設されたセンターブラケット１１に加締められたスタッド１１ｄ先端の一部が、該後ろキャビネット１ａに穿設された螺子挿通孔１ｄから露出している。さらに、後ろキャビネット１ａの下部中央部分の凹部の上面にはスタンド取り付け板の上辺端部に設けられたピボットの尖端部を液晶テレビ内部に配設されたセンターブラケット１１に当接させるためのピボット用開口１ｂおよび傾き調整螺子１２の調整ホイール１２ｂおよび螺子軸部１２ｃの逃げのためのホイール用開口１ｃが設けられている。後ろキャビネット１ａに穿設された螺子挿通孔１ｄは真円ではなく、傾き調整時に液晶テレビ内部のセンターブラケット１１に加締められたスタッド１１ｄが、後ろキャビネット１ａの螺子挿通孔１ｄに沿って移動可能とするため、該後ろキャビネット１ａのピボット用開口１ｂに嵌入するスタンド取り付け板のピボットの尖端を中心とする円弧上に楕円形状の螺子挿通孔１ｄを形成している。
【００１６】
後ろキャビネット１ａの下部中央の凹部に設けられた螺子挿通孔から先端の一部が露出しているスタッドに、図５（ｂ）に示すごとくスタンド取り付け板１３を載置し、該スタンド取り付け板１３およびスタンドを螺着する。傾き調整時に液晶テレビ内部のセンターブラケット１１に加締められたスタッドが螺子挿通孔１３ｂに沿って移動可能とするため、図５（ｂ）に示すごとく該スタンド取り付け板１３の複数の螺子挿通孔１３ｂは真円ではなく該スタンド取り付け板１３に形成されたピボット１３ａの尖端を中心とする円弧上に楕円形状の螺子挿通孔１３ｂを形成している。また該スタンド取り付け板１３をスタンドと一体化させるため、該スタンド取り付け板１３の上辺には、スタンド押圧部１３ｃの折り曲げ部を形成している
【００１７】
薄型表示装置の表示画面の傾き調整装置の組み立て手順としては、図4（ｂ）に示すセンターブラケット１１の傾き調整螺子取り付け孔１１ｃに傾き調整螺子１２の螺子軸部１２ｃをねじ込む。次に図５（ａ）に示すごとく後ろキャビネット１ａの螺子挿通孔１ｄから、センターブラケット１１のスタッド１１ｄが露出するよう位置合わせをし、該センターブラケット１１を後ろ該キャビネット1ａにより覆う。さらに、図５（ｂ）に示すごとくスタンド取り付け板１３の螺子挿通孔１３ｂを該スタッド１１ｄの軸中心の螺子孔と位置合わせをし、該スタンド取り付け板１３を後ろキャビネット１ａの段落ち面に載置する。次に、図2に示すごとくスタンド５の螺子挿通孔５ａとの位置合わせをし、これらの螺子挿通孔５ａ、１３ｂおよび１ｄに順次に螺子２を挿通し、一挙に後ろキャビネット1ａ内部に配設されたセンターブラケット（図示せず）に仮締めをする。
【００１８】
螺子２を仮締めした状態で図３（ｂ）に示す傾き調整螺子の調整ホイール１２ｂを回転させると該傾き調整螺子の螺子軸部１２ｃがセンターブラケット１１の傾き調整螺子取り付け孔１１ｃへの螺子込み長さが変化し、該ねじ込み長さに従って傾き調整螺子１２のスタンド取り付けブラケット押圧部１２ａがスタンド取り付け板１３の上片を押し付ける。スタンド取り付け板１３はスタンド５と一体化されているので、反作用としてセンターブラケット１１が上方向または下方向に移動し、センターブラケット１１に固定されている液晶表示パネルの傾きが変化し、表示画面の傾きが調整される。傾き調整後は仮締めした螺子２を増し締めし、調整が完了する。
【００１９】
ここで、図５（ｂ）に示す傾き調整螺子１２のスタンド取り付けブラケット押圧部１２ａは傾き調整装置の力点となり、該スタンド取り付けブラケット押圧部１２ａが当接するスタンド取り付け板１３の上片の他端に位置するピボット１３ａが支点または傾き調整装置の回転中心となる。前記の傾き調整装置の力点および支点を結ぶ直線を、図３（ｂ）中に示す液晶テレビの重心「ｇ」を含む表示画面と平行な面内に配設することにより、傾き調整螺子１２の調整時に表示画面に捻れ方向の応力を生じさせることが無く、円滑な表示画面傾き調整作業が可能となる。
【図面の簡単な説明】
【００２０】
【図１】本発明に係わる液晶テレビの背面図で、表示画面中心を回転軸とする時計方向への傾きを誇張し表現している。
【図２】図１に示す液晶テレビ背面の後ろキャビネット、スタンドおよびスタンド取り付け板を取り外した分解斜視図である。
【図３】図３（ａ）は液晶テレビの後ろキャビネットのスタンド取り付け部分、図３（ｂ）は図３（ａ）中の鎖線Ａ−Ａで示す切断線に沿って切断した縦断面図である。
【図４】図４（ａ）はセンターブラケット部分を含む液晶テレビ内部の背面斜視図で、図４（ｂ）は傾き調整用螺子を取り付けるセンターブラケットの拡大斜視図である。
【図５】図５（ａ）は後ろキャビネットの下部中央のスタンド取り付け部を示す斜視図、図５（ｂ）はスタンド取り付けブラケットを後ろキャビネット上に載置した状態を示す斜視図である。
【符号の説明】
【００２１】
１：  液晶テレビ
１ａ：  後ろキャビネット
１ｂ：  ピボット用開口
１ｃ：  ホイール用開口
１ｄ：  螺子挿通孔
１ｅ：  前キャビネット
２：  螺子
３：  バックライト装置
４：  液晶表示パネル
５：  スタンド
５ａ：  螺子挿通孔
１１：  センターブラケット
１１ｂ：  調整ホイール用開口
１１ｃ：  傾き調整螺子取り付け孔
１１ｄ：  スタッド
１２：  傾き調整螺子
１２ａ：  スタンド取り付けブラケット押圧部
１２ｂ：  調整ホイール
１２ｃ：  螺子軸部
１３：  スタンド取り付け板
１３ａ：  ピボット
１３ｂ：  螺子挿通孔
１３ｃ：  スタンド押圧部
１４：  重心
【図１】
2007310252.tif 000003
【図２】
2007310252.tif 000004
【図３】
2007310252.tif 000005
【図４】
2007310252.tif 000006
【図５】
2007310252.tif 000007